(57)【要約】【課題】カラーフィルタを有する有機エレクトロルミネッセンス表示装置に表示される画像の視認性の低下防止を目的とする。【解決手段】本発明の有機エレクトロルミネッセンス表示装置１ａは、有機エレクトロルミネッセンス発光素子３０が形成されたＴＦＴ基板１０と、カラーフィルタ層４８を有するカラーフィルタ基板５０と、前記ＴＦＴ基板と前記カラーフィルタ基板とを貼りあわせるフィル材４５と、非表示領域Ｅにおいて前記フィル材を堰き止めるダム材６０と、前記フィル材と前記カラーフィルタ層との間に配置され、平面視で前記表示領域を覆い、前記ダム材の内側の非表示領域において前記ダム材から間隔を空けて形成された、無機材料からなるガスバリア膜４６と、を備えることを特徴とする。【選択図】図４
2015122148.tif 000002
【特許請求の範囲】
【請求項１】
表示領域の画素のそれぞれに有機エレクトロルミネッセンス発光素子が形成されたＴＦＴ基板と、
前記画素にそれぞれ対応してカラーフィルタが形成されたカラーフィルタ層を有するカラーフィルタ基板と、
前記ＴＦＴ基板の前記有機エレクトロルミネッセンス発光素子が形成された側と前記カラーフィルタ基板の前記カラーフィルタ層が形成された側とを貼りあわせるフィル材と、
前記表示領域の外側の非表示領域において前記フィル材を堰き止めるダム材と、
前記フィル材と前記カラーフィルタ層との間に配置され、平面視で前記表示領域を覆い、前記ダム材の内側の非表示領域において前記ダム材から間隔を空けて形成された、無機材料からなるガスバリア膜と、
を備えることを特徴とする有機エレクトロルミネッセンス表示装置。
【請求項２】
請求項１に記載の有機エレクトロルミネッセンス表示装置であって、
前記ガスバリア膜の外周の全てが、平面視で前記ダム材の内周よりも内側に位置する、
ことを特徴とする有機エレクトロルミネッセンス表示装置。
【請求項３】
請求項１または請求項２に記載の有機エレクトロルミネッセンス表示装置であって、
前記ダム材と前記ガスバリア膜との間隔が０．０５ｍｍ以上かつ１．０ｍｍ以下である、
ことを特徴とする有機エレクトロルミネッセンス表示装置。
【請求項４】
請求項１乃至３のいずれか一項に記載の有機エレクトロルミネッセンス表示装置であって、
前記非表示領域において、平面視で前記カラーフィルタ層の外周の外側を囲むように配置された、有機材料からなる遮光膜を有し、
前記遮光膜と前記ダム材とが接する、
ことを特徴とする有機エレクトロルミネッセンス表示装置。
【請求項５】
請求項１乃至４のいずれか一項に記載の有機エレクトロルミネッセンス表示装置であって、
前記カラーフィルタ層と前記ガスバリア膜との間に、有機材料からなるオーバーコート膜が形成されている、
ことを特徴とする有機エレクトロルミネッセンス表示装置。
【請求項６】
請求項５に記載の有機エレクトロルミネッセンス表示装置であって、
前記オーバーコート膜の外周が、前記非表示領域において、平面視で前記ダム材の内周よりも内側に位置し、
前記オーバーコート膜の外周と前記ダム材の内周との間の領域と、前記ガスバリア膜の外周と前記ダム材の内周との間の領域とが、平面視で重なっている、
ことを特徴とする有機エレクトロルミネッセンス表示装置。
【発明の詳細な説明】
【技術分野】
【０００１】
本発明は有機エレクトロルミネッセンス表示装置に関する。
【背景技術】
【０００２】
薄型で軽量な発光源として、有機エレクトロルミネッセンス発光（organic electro luminescent）素子が注目を集めており、多数の有機エレクトロルミネッセンス発光素子とカラーフィルタとを備える有機エレクトロルミネッセンス表示装置が開発されている。
【０００３】
このような有機エレクトロルミネッセンス表示装置としては、例えば特許文献１において、有機エレクトロルミネッセンス構造体と、ガスバリア膜と、カラーフィルタ層と、が積層された構成が開示されている。
【先行技術文献】
【特許文献】
【０００４】
【特許文献１】特許４６９６９２６号公報
【発明の概要】
【発明が解決しようとする課題】
【０００５】
カラーフィルタを有する有機エレクトロルミネッセンス表示装置においては、カラーフィルタから発生するガスにより表示領域に気泡が発生し、表示画像の視認性を低下させるおそれがある。一方、特許文献１に記載の有機エレクトロルミネッセンス表示装置のように、カラーフィルタ層からのガスの発生を抑えるために、ガスバリア膜がカラーフィルタ層全体を覆うように設けられた場合は、ガスバリア膜がガスの発生により破損することが考えられ、この場合には、表示画像の視認性が低下するおそれがある。
【０００６】
本発明は、このような事情に鑑みてなされたものであって、カラーフィルタを有する有機エレクトロルミネッセンス表示装置に表示される画像の視認性の低下防止を目的とする。
【課題を解決するための手段】
【０００７】
本出願において開示される発明のうち、代表的なものの概要を簡単に説明すれば、以下の通りである。
【０００８】
（１）本発明の有機エレクトロルミネッセンス表示装置は、表示領域の画素のそれぞれに有機エレクトロルミネッセンス発光素子が形成されたＴＦＴ基板と、前記画素にそれぞれ対応してカラーフィルタが形成されたカラーフィルタ層を有するカラーフィルタ基板と、前記ＴＦＴ基板の前記有機エレクトロルミネッセンス発光素子が形成された側と前記カラーフィルタ基板の前記カラーフィルタ層が形成された側とを貼りあわせるフィル材と、前記表示領域の外側の非表示領域において前記フィル材を堰き止めるダム材と、前記フィル材と前記カラーフィルタ層との間に配置され、平面視で前記表示領域を覆い、前記ダム材の内側の非表示領域において前記ダム材から間隔を空けて形成された、無機材料からなるガスバリア膜と、を備えることを特徴とする。
【０００９】
（２）本発明の有機エレクトロルミネッセンス表示装置は、（１）において、前記ガスバリア膜の外周の全てが、平面視で前記ダム材の内周よりも内側に位置していてもよい。
【００１０】
（３）本発明の有機エレクトロルミネッセンス表示装置は、（１）または（２）において、前記ダム材と前記ガスバリア膜との間隔が０．０５ｍｍ以上かつ１．０ｍｍ以下であってもよい。
【００１１】
（４）本発明の有機エレクトロルミネッセンス表示装置は、（１）乃至（３）のいずれか一項において、前記非表示領域において、平面視で前記カラーフィルタ層の外周の外側を囲むように配置された、有機材料からなる遮光膜を有し、前記遮光膜と前記ダム材とが接していてもよい。
【００１２】
（５）本発明の有機エレクトロルミネッセンス表示装置は、（１）乃至（４）のいずれか一項において、前記カラーフィルタ層と前記ガスバリア膜との間に、有機材料からなるオーバーコート膜が形成されていてもよい。
【００１３】
（６）本発明の有機エレクトロルミネッセンス表示装置は、（５）において、前記オーバーコート膜の外周が、前記非表示領域において、平面視で前記ダム材の内周よりも内側に位置し、前記オーバーコート膜の外周と前記ダム材の内周との間の領域と、前記ガスバリア膜の外周と前記ダム材の内周との間の領域とが、平面視で重なっていてもよい。
【発明の効果】
【００１４】
本発明によれば、本構成を有さない有機エレクトロルミネッセンス表示装置と比べ、カラーフィルタ層からガスが発生しても、ガスをガスバリア膜とダム材のとの間に集めることができる。このため、有機エレクトロルミネッセンス表示装置に表示される画像の視認性の低下を防ぐことができる。
【図面の簡単な説明】
【００１５】
【図１】本発明の一実施形態に係る有機エレクトロルミネッセンス表示装置の概略平面図である。
【図２】図２は図１に示す有機エレクトロルミネッセンス表示装置のＩＩ−ＩＩ切断線における概略断面図である。
【図３】図３は図１に示す有機エレクトロルミネッセンス表示装置のＩＩＩ−ＩＩＩ切断線における概略断面図である。
【図４】図４は図２に示す有機エレクトロルミネッセンス表示装置に気泡が生じた状態を示す概略断面図である。
【図５】図５は本実施形態に係る有機エレクトロルミネッセンス表示装置の変形例に気泡が生じた状態を図２と同様の視野において示す部分拡大図である。
【発明を実施するための形態】
【００１６】
以下、本実施形態に係る有機エレクトロルミネッセンス表示装置について、有機エレクトロルミネッセンス表示装置１ａを例として図面に基づいて説明する。なお、以下の説明において参照する図面は、特徴をわかりやすくするために便宜上特徴となる部分を拡大して示している場合があり、各構成要素の寸法比率などは実際と同じであるとは限らない。また、以下の説明において例示される材料等は一例であって、各構成要素はそれらと異なっていてもよく、その要旨を変更しない範囲で変更して実施することが可能である。
【００１７】
図１は本発明の一実施形態に係る有機エレクトロルミネッセンス表示装置１ａの概略平面図である。ＴＦＴ基板１０の上面１０ａのうち、画像が表示される領域を表示領域Ｄとし、表示領域Ｄの外側の画像が表示されない領域を非表示領域Ｅとする。
【００１８】
図１に示すように、ＴＦＴ基板１０の上面１０ａのうち表示領域Ｄにはカラーフィルタ基板５０が配置されている。また、非表示領域Ｅのうち、カラーフィルタ基板５０が配置されていない領域１０ａ１には、フレキシブル回路基板２が接続され、さらに、ドライバＩＣ（Integrated Circuit）３が設けられている。
【００１９】
ドライバＩＣ３は、有機エレクトロルミネッセンス表示装置１ａの外部からフレキシブル回路基板２を介して画像データを供給される、ＴＦＴ基板１０上に配置されたＩＣである。ドライバＩＣ３は画像データが供給されることにより、後述する有機エレクトロルミネッセンス発光素子３０に、図示しないデータ線を介して各画素に印加する電圧信号を供給する。
【００２０】
次に、有機エレクトロルミネッセンス表示装置１ａの表示領域Ｄの構成について、その詳細を説明する。図２は図１に示す有機エレクトロルミネッセンス表示装置１ａのＩＩ−ＩＩ切断線における概略断面図である。図２に示すように、表示領域ＤのＴＦＴ基板１０上には、フィル材４５と、ガスバリア膜４６と、オーバーコート膜４７と、カラーフィルタ基板５０とが積層されている。また、ＴＦＴ基板１０上には、複数の画素Ｐがマトリクス状に配置されている。
【００２１】
ＴＦＴ基板１０は、絶縁基板８と、回路層１２と、平坦化膜１３と、表示領域Ｄの画素Ｐのそれぞれに形成された有機エレクトロルミネッセンス発光素子３０と、封止膜４０と、を有している。
【００２２】
絶縁基板８は絶縁性の基板であって、その上面８ａに、回路層１２及び有機エレクトロルミネッセンス発光素子３０が形成される部材である。
【００２３】
回路層１２は、薄膜トランジスタ１１、パッシベーション膜１１ｆ及び図示しない電気配線が形成された層であり、有機エレクトロルミネッセンス発光素子３０を駆動するために形成されている。
【００２４】
薄膜トランジスタ１１は、絶縁基板８上に画素Ｐごとに設けられている。薄膜トランジスタ１１は、例えば、ポリシリコン半導体層１１ａ、ゲート絶縁層１１ｂ、ゲート電極１１ｃ、ソース・ドレイン電極１１ｄ及び第１の絶縁膜１１ｅから構成されている。また、薄膜トランジスタ１１上は、薄膜トランジスタ１１を保護する絶縁膜であるパッシベーション膜１１ｆによって覆われている。
【００２５】
平坦化膜１３は、回路層１２上を覆うように形成されている。平坦化膜１３は絶縁材料からなる層であり、絶縁基板８と有機エレクトロルミネッセンス発光素子３０の間に形成されることにより、隣接する薄膜トランジスタ１１間や、薄膜トランジスタ１１と有機エレクトロルミネッセンス発光素子３０の間が、電気的に絶縁される。平坦化膜１３は、例えばＳｉＯ２やＳｉＮ、アクリル、ポリイミド等の絶縁性を有する材料からなる。
【００２６】
平坦化膜１３上の各画素Ｐに対応する領域には、反射膜３１が形成されていてもよい。反射膜は、有機エレクトロルミネッセンス発光素子３０から出射した光をカラーフィルタ基板５０側へ向けて反射するために設けられている。反射膜３１の材料は、光反射率が高いものであるほど好ましく、例えばアルミニウムや銀（Ａｇ）等からなる金属膜であることが好ましい。
【００２７】
平坦化膜１３上には、複数の有機エレクトロルミネッセンス発光素子３０が画素Ｐのそれぞれに形成されている。有機エレクトロルミネッセンス発光素子３０は、下部電極３２と、少なくとも発光層を有する有機層３３と、有機層３３上を覆うように形成された上部電極３４とを有することにより、下部電極３２と有機層３３と上部電極３４とが重なる領域が発光領域として機能する。
【００２８】
下部電極３２は、有機層３３に駆動電流を注入する電極である。下部電極３２はコンタクトホール３２ａに接続していることにより、薄膜トランジスタ１１に電気的に接続されて駆動電流が供給される。
【００２９】
下部電極３２は導電性を有する材料からなる。下部電極３２の材料は、具体的には例えば、ＩＴＯ（Indium Tin Oxide）であることが好ましいが、ＩＺＯ（インジウム亜鉛複合酸化物）、酸化錫、酸化亜鉛、酸化インジウム、酸化アルミニウム複合酸化物等の透光性及び導電性を有する材料でもよい。なお、反射膜が銀等の金属からなり、かつ、下部電極３２に接触するものであれば、下部電極３２は透光性を有していてもよい。このような構成の場合、反射膜は下部電極３２の一部となる。
【００３０】
隣接する各下部電極３２同士の間には、例えば、隣接する画素Ｐ同士の境界Ｂに沿って画素分離膜１４が形成されている。画素分離膜１４は、隣接する下部電極３２同士の接触と、下部電極３２と上部電極３４の間の漏れ電流を防止する機能を有する。画素分離膜１４は絶縁材料からなり、具体的には例えば、感光性の樹脂組成物からなる。
【００３１】
有機層３３は少なくとも発光層を有する、有機材料により形成された層であり、複数の下部電極３２上及び画素分離膜１４上を覆うように形成されている。有機層３３は、表示領域Ｄの画素Ｐの配置されている領域全面を覆うように形成されていてもよい。有機層３３は、例えば白色の光を発する層を有している。
【００３２】
有機層３３は、例えば、下部電極３２側から順に、図示しないホール注入層、ホール輸送層、発光層、電子輸送層、電子注入層が積層されてなる。なお、有機層３３の積層構造はここに挙げたものに限られず、少なくとも発光層を含むものであれば、その積層構造は特定されない。
【００３３】
発光層は、例えば、正孔と電子とが結合することによって発光する有機エレクトロルミネッセンス物質から構成されている。このような有機エレクトロルミネッセンス物質としては例えば、一般に有機発光材料として用いられているものが用いられてもよい。
【００３４】
上部電極３４は、有機層３３上を覆うように形成されている。上部電極３４は、画素Ｐ毎に独立しておらず、表示領域Ｄの画素Ｐの配置されている領域全面を覆うように形成される。このような構成を有することにより、上部電極３４は複数の有機エレクトロルミネッセンス発光素子３０の有機層３３に共通に接触する。
【００３５】
上部電極３４は透光性及び導電性を有する材料からなる。上部電極３４の材料は、具体的には例えば、ＩＴＯであることが好ましいが、ＩＴＯやＩｎＺｎＯ等の導電性金属酸化物に銀やマグネシウム等の金属を混入したもの、あるいは銀やマグネシウム等の金属薄膜と導電性金属酸化物を積層したものであってもよい。
【００３６】
上部電極３４の上面は、複数の画素Ｐにわたって封止膜４０により覆われている。封止膜４０は、有機層３３をはじめとする各層への酸素や水分の侵入を防ぐために形成されている。封止膜４０の材料は、絶縁性を有する透明の材料であれば特に限定されない。
【００３７】
封止膜４０の上面（ＴＦＴ基板１０の上面１０ａ）には、フィル材４５を介してカラーフィルタ基板５０が配置され、カラーフィルタ基板５０とフィル材４５の間には、ガスバリア膜４６とオーバーコート膜４７が配置されている。
【００３８】
フィル材４５は、表示領域ＤにおけるＴＦＴ基板１０とカラーフィルタ基板５０との間に充填される透明な材料である。フィル材４５が充填されることにより、ＴＦＴ基板１０の有機エレクトロルミネッセンス発光素子３０が形成された側の上面１０ａと、カラーフィルタ基板５０のカラーフィルタ層４８が形成された側とが貼りあわされる。フィル材４５は例えばエポキシ樹脂などの透明な有機材料からなる。
【００３９】
カラーフィルタ基板５０は、平面視でＴＦＴ基板１０よりも小さい外周を有する基板であり、カラーフィルタ層４８と例えばガラス基板４９を有している。カラーフィルタ層４８は画素Ｐにそれぞれ対応してカラーフィルタが形成された層である。カラーフィルタは、例えば顔料が分散されたレジストが光硬化してなり、遮光性を有する区分膜Ｓによって各画素Ｐに対応して例えばＲ領域、Ｂ領域、Ｇ領域にそれぞれ区分されている。
【００４０】
カラーフィルタ基板５０のカラーフィルタ層４８とフィル材４５との間には、無機材料からなるガスバリア膜４６が配置されている。また、カラーフィルタ層４８とガスバリア膜４６との間には、図２に示すように、有機材料からなるオーバーコート膜４７が形成されていてもよい。
【００４１】
オーバーコート膜４７は、カラーフィルタ層４８のフィル材４５側の面を平坦化するために形成される膜であり、例えば有機材料である透明なレジストを光硬化した材料からなる。
【００４２】
ガスバリア膜４６は、カラーフィルタ層４８やオーバーコート膜４７から発生したガスが表示領域Ｄにおいて、フィル材４５側に気泡として生じることを防ぐために配置された膜である。このため、ガスバリア膜４６は図１に示すように、平面視で表示領域Ｄを覆うように配置されている。ガスバリア膜４６の材料としては、例えばＳｉＯ２、ＳｉＮなどの無機材料が用いられる。
【００４３】
次いで、非表示領域Ｅにおける有機エレクトロルミネッセンス表示装置１ａの構成について、その詳細を説明する。図３は図１に示す有機エレクトロルミネッセンス表示装置のＩＩＩ−ＩＩＩ切断線における概略断面図である。なお、図３においては、説明の便宜上、有機エレクトロルミネッセンス発光素子３０の詳細な構成を省略する。
【００４４】
非表示領域Ｅにおいては、図１、３に示すように、遮光膜ＢＭが配置されている。遮光膜ＢＭは、表示領域Ｄからの発光が非表示領域Ｅに表示されることを防ぐために設けられた、遮光性を有する膜である。遮光膜ＢＭは例えばカーボンが分散したレジストなどの有機材料からなる。遮光膜ＢＭは、平面視でカラーフィルタ層４８の外周４８ａの外側を囲むように形成されるが、一部が区分膜Ｓとしてカラーフィルタ層４８に重なるように形成されていてもよい。
【００４５】
なお、図３においては、遮光膜ＢＭのフィル材４５側の面（下面ＢＭ１）は全てオーバーコート膜４７によって覆われているが、少なくともカラーフィルタ層４８がオーバーコート膜４７によって覆われているのであれば、下面ＢＭ１はオーバーコート膜４７に覆われていなくてもよい。
【００４６】
また、図１、３に示すように、非表示領域Ｅにおいては、フィル材４５を堰き止めるダム材６０が設けられている。ダム材６０は、非表示領域ＥにおけるＴＦＴ基板１０とカラーフィルタ基板５０との間を表示領域Ｄの外周に沿って封止することにより、フィル材４５を堰き止めている。ダム材６０は有機材料からなり、例えば、プラスチックビーズ等のスペーサを分散させたエポキシ樹脂が光硬化または熱硬化してなる。
【００４７】
図３に示す例においては、遮光膜ＢＭの下面ＢＭ１はオーバーコート膜４７を介してダム材６０に接しているが、遮光膜ＢＭの下面ＢＭ１とダム材６０は直接接していてもよい。
【００４８】
図１、３に示すように、非表示領域Ｅにおけるガスバリア膜４６の外周４６ａは、ダム材６０の内側において、ダム材６０の内周６１から間隔を空けて形成されている。ガスバリア膜４６の外周４６ａは、その全てが、平面視でダム材６０の内周６１よりも内側に位置することが好ましいが、少なくとも一部において、外周４６ａが内周６１よりも内側に位置すればよい。
【００４９】
なお、図３に示すように、ダム材６０の内周６１とガスバリア膜４６の外周４６ａとの間隔６５の幅を幅ｄとすると、幅ｄは０．０５ｍｍ以上かつ１．０ｍｍ以下であることが好ましい。
【００５０】
図４は図２に示す有機エレクトロルミネッセンス表示装置１ａに気泡７０が生じた状態を示す概略断面図である。本実施形態に係る有機エレクトロルミネッセンス表示装置１ａは、非表示領域Ｅにおけるガスバリア膜４６の外周４６ａがダム材６０の内側において、ダム材６０の内周６１から間隔を空けて形成されていることにより、カラーフィルタ層４８やオーバーコート層４７からガスが発生して気泡７０となっても、間隔６５に気泡７０を集めることができる。また、この間隔６５は非表示領域Ｅに位置するため、気泡７０が間隔６５に生じても、有機エレクトロルミネッセンス表示装置１ａに表示される画像の視認性の低下を防ぐことができる。これは表示領域Ｄにおいて有機材料にて形成されているカラーフィルタ層４８やオーバーコート層４７から発生した気泡７０が、ガスを通しにくい無機材料にて形成されているガスバリア膜４６によりブロックされるためである。これにより、発生した気泡７０は、ガスバリア層４６とオーバーコート層４７との界面を伝わって間隔６５に移動し、フィル材４５側に気泡が発生することが防がれる。
【００５１】
また、本実施形態に係る有機エレクトロルミネッセンス表示装置１ａは、無機材料からなるガスバリア膜４６が有機材料からなるダム材６０に接さないため、発生した気泡７０がガスバリア膜４６とオーバーコート膜４７との界面を通ってダム材６０配置領域に達する前に間隔６５にて捕獲される。よってガスバリア膜とダム材とが接する有機エレクトロルミネッセンス表示装置と比べて、ダム材６０の剥がれによる不良発生が抑えられる。
【００５２】
また、本実施形態に係る有機エレクトロルミネッセンス表示装置１ａは、ガスバリア膜４６の外周４６ａの全てが、平面視でダム材６０の内周６１よりも内側に位置することにより、本構成を有さない有機エレクトロルミネッセンス表示装置と比べ、カラーフィルタ層４８やオーバーコート膜４７から発生したガスが、間隔６５に集まりやすい。このため、表示領域Ｄに気泡７０が生じることが防がれ、有機エレクトロルミネッセンス表示装置１ａに表示される画像の視認性の低下を抑えることができる。
【００５３】
また、本実施形態に係る有機エレクトロルミネッセンス表示装置１ａは、間隔６５の幅ｄが０．０５ｍｍ以上かつ１．０ｍｍ以下であることにより、表示領域Ｄを狭めることなく、気泡７０を間隔６５に集めることができる。このため、有機エレクトロルミネッセンス表示装置１ａに表示される画像の視認性の低下を抑えることができる。
【００５４】
また、本実施形態に係る有機エレクトロルミネッセンス表示装置１ａは、有機材料からなる遮光膜ＢＭと有機材料からなるダム材６０が直接接することにより、無機材料からなるガスバリア膜を介して遮光膜とダム材が接する構成と比べ、ダム材６０の剥がれが抑えられる。このため、ダム材６０の剥がれによる不良発生や視認性の低下を防ぐことができる。
【００５５】
次いで、本実施形態に係る有機エレクトロルミネッセンス表示装置１ａの変形例である有機エレクトロルミネッセンス表示装置１ｂの構成について説明する。図５は本実施形態に係る有機エレクトロルミネッセンス表示装置１ａの変形例１ｂに気泡が生じた状態を図２と同様の視野において示す部分拡大図である。
【００５６】
有機エレクトロルミネッセンス表示装置１ｂは有機エレクトロルミネッセンス表示装置１ａと異なり、オーバーコート膜４７の外周４７ａが、非表示領域Ｅにおいて、平面視でダム材６０の内周６１よりも内側に位置している。また、有機エレクトロルミネッセンス表示装置１ｂのオーバーコート膜４７の外周４７ａとダム材６０の内周６１との間の領域（間隔）６５と、ガスバリア膜４６の外周４６ａとダム材６０の内周６１との間の領域６７とは、平面視で重なっている。
【００５７】
本実施形態に係る有機エレクトロルミネッセンス表示装置１ｂは、非表示領域Ｅにおいて、ガスバリア膜４６とダム材６０との間の領域６７が、オーバーコート膜４７の配置されていない領域６５と重なるため、本構成を有さない有機エレクトロルミネッセンス表示装置と比べ、領域６５と領域６７が重なる領域における、ガスバリア膜４６の下面４６ｂと遮光膜ＢＭの下面ＢＭ１との段差が大きくなる。
【００５８】
このため、本実施形態に係る有機エレクトロルミネッセンス表示装置１ｂは、本構成を有さない有機エレクトロルミネッセンス表示装置と比べ、カラーフィルタ層４８やオーバーコート層４７から発生した気泡７０を、領域６５と領域６７が重なる領域に集めやすい。これにより、有機エレクトロルミネッセンス表示装置１ｂに表示される画像の視認性の低下を防ぐことができる。なお、オーバーコート膜４７の外周４７ａとダム材６０の内周６１との間の領域（間隔）６５と、ガスバリア膜４６の外周４６ａとダム材６０の内周６１との間の領域６７とは、全く同一の面積にて平面視で重なる必要はなく、一部が重なる形であってよい。領域６５と領域６７が一部でも重なることにより、カラーフィルタ層４８やオーバーコート層４７から発生した気泡７０を、その領域６５と領域６７とが重なる領域に集めやすいという効果を有する。
【００５９】
以上、本発明の実施形態を説明してきたが、本発明は、上述した実施形態には限られない。例えば、上述した実施形態で説明した構成は、実質的に同一の構成、同一の作用効果を奏する構成、又は同一の目的を達成することができる構成により置き換えてもよい。
【００６０】
例えば、本実施形態に係る有機エレクトロルミネッセンス表示装置は、カラーフィルタ層４８を有してさえいれば、有機エレクトロルミネッセンス発光素子３０の発光は白色に限られず、その他の色であってもよく、また、発光色が複数種類であってもよい。また、本発明は有機エレクトロルミネッセンス表示装置に限られず、液晶表示装置に適用されてもよい。
【符号の説明】
【００６１】
１ａ,１ｂ  有機エレクトロルミネッセンス表示装置、２  フレキシブル回路基板、３  ドライバＩＣ、１０  ＴＦＴ基板、１０ａ  上面、１２  回路層、１１  薄膜トランジスタ、１３  平坦化膜、３０  有機エレクトロルミネッセンス発光素子、３２  下部電極、３３  有機層、３４  上部電極、４０  封止膜、４５  フィル材、４６  ガスバリア膜、４６ａ  外周、４６ｂ  下面、４７  オーバーコート膜、４７ａ  外周、４８  カラーフィルタ層、５０  カラーフィルタ基板、６０  ダム材、６１  内周、６５  間隔、７０  気泡、Ｂ  境界、ＢＭ  遮光膜、ＢＭ１  下面、ｄ  幅、Ｐ  画素。
【図１】
2015122148.tif 000003
【図２】
2015122148.tif 000004
【図３】
2015122148.tif 000005
【図４】
2015122148.tif 000006
【図５】
2015122148.tif 000007